(57)【要約】【課題】  破損等の欠陥部を有する平判紙に挿入付された差し紙が平判紙に挟まれて埋もれてしまって外側から視認できなくなった場合でも、存否を確認でき差し紙等の指標用紙片を提供する。【解決手段】  差し紙１の一部にICチップや金属片を貼着したり、抄き込んだり、放射性物質を含有させたインクで識別番号1aを印字したりして、被検出部３を設ける。被検出部３を検出できる検出装置４(図２示)を用いて、平判包装機に供するに先立って、包装に供されるリームを走査し、被検出部３の存否を検知させる。被検出部３が検出された場合には、当該リームに差し紙１が埋もれているため、該リームを包装する前に差し紙と欠陥部を有する平判紙とを除去する。【選択図】        図１
2011170722.tif 000002
【特許請求の範囲】
【請求項１】
欠陥部を有する平判紙の指標として、または包装枚数単位の指標として、平判紙に一部が挟み込まれる紙製の差し紙やマーカーテープ等の指標用紙片において、
一部に被検出部を設けたことを特徴とする指標用紙片。
【請求項２】
前記被検出部はICチップによるものであることを特徴とする請求項１に記載の指標用紙片。
【発明の詳細な説明】
【技術分野】
【０００１】
この発明は、巻取紙をワインダーで小幅・小径の小巻取に巻き直す際や所定の寸法の平判紙に加工する際に、不良箇所の指標となる差し紙や包装枚数毎に挿入されるマーカーテープ等のように、積層された平判紙の外部から視認できるよう平判紙の間に挿入される指標用紙片に関し、平判紙の間に挟み込まれてしまって、外部から視認できなくなってしまった場合でも、存否を確認できるようにした指標用紙片に関する。
【背景技術】
【０００２】
製紙工場における抄紙機で製造される紙は、抄紙機の最後尾に設置されたリールパートでリールスプールに巻き取られて巻取として製造される。この製造された巻取は幅員が大きく、特に近年では生産性の向上を図るためにますます大きくなる傾向がある。一方、新聞社や印刷会社、包装資材会社等の需要者では、広幅で大きな径の巻取を扱う機械装置を所有しておらず、製紙工場としても出荷の際には広幅な巻取は扱いにくい。このため、製紙工場では、抄紙機でリールスプールに巻き取られた巻取を需要者が所有する印刷機等の機械能力に応じて、適当な小幅で小径の巻取に加工したり、所定の寸法の平判紙に裁断したりして出荷している。
【０００３】
小幅・小径の小巻取で出荷する場合も平判紙に加工する場合にもワインダー装置に供して、出荷に応じた小巻取に加工し、平判紙に加工するカッター装置に供するのに適した寸法の小巻取に巻き直される。このワインダー装置に供されたり、その後のカッター装置に供されたりしている際に、紙の汚れや破損等の欠陥の有無が検出され、検出された部分には欠陥箇所の存在を示す指標用紙片として差し紙が挿入されるようにしてある。また、平判紙に加工される際には、包装枚数毎に指標用紙片としてマーカーテープが挿入されて、平判包装機にはこのマーカーテープで区切られた包装枚数毎に供されることになる。
【０００４】
前記差し紙は、例えば、幅35mm、長さ155mmほどの厚手のカラー紙が用いられ、表面の一端部には管理番号等が印字されている。例えば、平判紙を平判包装機に供する際に、この差し紙を作業者が確認することにより欠陥部を有する紙を取り除いて適切な製品のみを包装して出荷するようにしている。なお、万一欠陥品を出荷してしまった場合には、例えば印刷機に供した場合に、欠陥部分で印刷不良が生じ、印刷物として不良品となってしまい、場合によっては欠陥部分での印刷インキが他の部分にまで転写されてしまい、この欠陥品が包装されていたロットの全てについて印刷不良が生じてしまうおそれがある。
【０００５】
また、差し紙やマーカーテープ等の指標用紙片が誤って平判紙の間に挟み込まれてしまうと作業者が視認できず、欠陥部分を有する紙が存していないものとして包装され、出荷されてしまうことになり、印刷不良等が発生してしまうおそれがある。また、挟み込まれた差し紙やマーカーテープが印刷機に供されてしまい、印刷物を不良品化する原因ともなる。
【０００６】
ところで、紙やプラスチックフィルム等のウェブ状製品の不良箇所の検出とその除去システムが特許文献１に開示されている。この検出・除去システムは、不良箇所を検出する検出工程と検出された不良箇所を除去する除去工程からなるウェブ状製品の不良箇所の検出とその除去システムにおいて、前記不良箇所の検出工程は、走行するウェブ状製品を欠点検出装置を通して不良箇所を検出する検出部と、検出された不良箇所の近傍に欠点表示ラベルとして非接触ＩＣタグを貼付するラベル貼付部と、該非接触ＩＣタグに管理番号と不良箇所の不良内容とを入力する入力部からなり、前記不良箇所の除去工程は、入力された情報を読み取る読み取り部と読み取った情報を表示する不良内容表示部とその情報に従って不良箇所を除去する除去部からなるものである。
【先行技術文献】
【特許文献】
【０００７】
【特許文献１】特開２００４−７５２８１号公報
【発明の概要】
【発明が解決しようとする課題】
【０００８】
特許文献１に開示された不良箇所の検出・除去システムでは、非接触ICタグが欠点表示ラベルとして貼付され、この非接触ICタグに記録された情報を読み取ることによるものであり、情報の読み取り部は、例えばウェブ状製品の搬送に伴われて走行する非接触ICタグを臨む位置に設けられており、読み取り部による読み取り位置を非接触ICタグが通過する際に情報が読み取られることになる。
【０００９】
ところで、平判紙の積層体に差し紙やマーカーテープ等の指標用紙片が挟み込まれた状態では、該指標用紙片の位置が不明であるから、前記読み取り部のように走行域を臨む位置に配することでは対処できない。他方、指標用紙片には必ずしも欠陥に関する情報が記録される必要はなく、必要に応じて少なくとも管理番号等の識別記号が記入されていればよい。すなわち、平判紙の積層体に誤って指標用紙片が挟み込まれてしまって、それを除去できずに包装することを防止する必要があるためである。
【００１０】
そこで、この発明は、平判紙に指標として差し込まれた差し紙やマーカーテープ等の指標用紙片を、作業者が視認できない場合であってもその存否を確認できるようにした指標用紙片を提供することを目的としている。
【課題を解決するための手段】
【００１１】
前記目的を達成するための技術的手段として、この発明に係る指標用紙片は、欠陥部を有する平判紙の指標として、または包装枚数単位の指標として、平判紙に一部が挟み込まれる紙製の差し紙やマーカーテープ等の指標用紙片において、該指標用紙片の一部に被検出部を設けたことを特徴としている。
【００１２】
被検出部として、例えばICチップや金属片を貼着したり、あるいはこの種の指標用紙片を抄造する際にこれらICチップや金属片、金属粉などを抄き込んだりする。あるいは、指標用紙片へ印字するインクに放射性物質を含有させて塗布する。この指標用紙片が平判紙の積層体に挟み込まれているか否かを、適宜な検知器を用いて確認する。前記ICチップが用いられている場合には該ICチップから発せられる信号を受信できる受信機を、金属片や金属粉では金属探知機を、放射性物質が塗布されている場合には放射能検知器を、それぞれ用いる。この場合、平判紙を包装機に搬送する際の作業員が被検出部に適した検知器を把持して、平判紙の全域を走査する。
【００１３】
また、請求項２の発明に係る指標用紙片は、前記被検出部はICチップによるものであることを特徴とする請求項１に記載の指標用紙片。
【００１４】
平判紙に挟み込まれ埋もれてしまうことがないようにするものであるから、被検出部は指標用紙片の存否を検出できれば十分である。しかし、多数の指標用紙片が利用される平判包装の現場では、特に欠陥部を指標する差し紙の識別を行えることができれば、工程内のいずれにおいて挿入付された差し紙かが判明する。このため、当該工程の処理等に不都合があり、それが原因で差し紙が埋もれてしまう場合には、当該工程が判明するので迅速に対応して不都合箇所を修正することができる。このため、被検出部にその差し紙の識別情報を記憶させられるICチップを用いるものである。
【発明の効果】
【００１５】
この発明に係る指標用紙片によれば、平判紙に挟み込まれて埋もれてしまっていても、その存否を確実に検出することができる。このため、指標用紙片が埋もれた状態で平判紙を包装することがなく、また、不良の部分の紙を除去して包装できるので、品質が確実な平判紙のみを出荷することができる。
【００１６】
また、請求項２の発明に係る指標用紙片によれば、当該指標用紙片、特に差し紙にあってはそれに記録された識別情報をもとに、いずれの工程で挿入されたものかを判別できるから、当該工程における機器装置等に不具合等が生じているのか否かを判断でき、迅速に対応することができる。
【図面の簡単な説明】
【００１７】
【図１】この発明に係る指標用紙片としての差し紙の構造を説明する図であり、差し紙の斜視図である。
【図２】平判紙が積層された状態を示し、包装単位の平判紙を包装装置に供する状態を説明する斜視図である。
【発明を実施するための形態】
【００１８】
以下、図示した好ましい実施の形態に基づいて、この発明に係る指標用紙片を具体的に説明する。なお、この実施形態では特に、この指標用紙片を用いるのに好ましい差し紙を例示して説明する。図１は指標用紙片としての差し紙１を示す斜視図であり、帯状の紙片からなるものである。この差し紙１の一端部には、当該差し紙１を識別するための管理番号等の識別記号1aが印字されている。この差し紙１は、例えばカッター装置で平判紙に切断する際に、破損や汚れ等の欠陥部が存している平判紙に挿入される。
【００１９】
カッター装置で切断された平判紙はレーボーイで積層されると共に、包装枚数毎に、図２に示すように指標用紙片としてのマーカーテープ２が差し込まれる。また、前記差し紙１が挿入された平判紙が存している場合には、同図に示すように、該差し紙１が積層体10の側面から一部が突出した状態となっている。このため、作業員はこの差し紙１を確認した場合にはこの差し紙１が挿入されている平判紙を除去する。また、マーカーテープ２によって分割された包装単位であるリームは、該積層体10の前方に設置されている図示しない平判包装機へ作業員によって供給される。
【００２０】
前記差し紙１の識別記号1aが印字された部位には、被検出部３が設けられている。この被検出部３はICチップや金属片を貼着したり、この差し紙１に用いられる紙を製造する際にICチップや金属片を抄き込んだりしたものとされており、該被検出部が備えた性質に応じた検出装置により当該部分を非接触にて検出することができるものであればよい。あるいは、この差し紙１の紙片を製造する際にその原料中に被検出部を構成する、例えば金属粉等の被検出体を含有させることにより、該差し紙１自体を被検出部とするものであってもよい。さらに、識別記号1aを印字するインク中に、例えば放射性物質等を含有させて印刷することにより、識別記号1a自体を被検出部とすることもできる。
【００２１】
以上により構成されたこの発明に係る指標用紙片としての差し紙の作用を、以下に説明する。
【００２２】
図２に示すように、作業員は積層体10から最上部のマーカーテープ２により上部に位置して平判紙の山を該マーカーテープ２で分離させて前方に押し出す。この平判紙の山が包装単位となるリームＬであり、積層体10の前方に設置されている図示しない平判包装機へ向けて作業員によって押し出されることになる。
【００２３】
作業員は、リームＬを少し押し出した状態で、例えばハンディータイプの金属探知機等の検出装置４でリームＬの上面を走査する。このとき、リームＬ内にある平判紙の間に埋もれてしまった差し紙１が存している場合には、該差し紙１の被検出部３に検出装置４が反応して、差し紙１の存在を示す表示や警報等の警告がなされる。作業員はこの警告を確認したならば、このリームＬを平判包装機に供する前に差し紙１を確認し、該差し紙１が挿入された平判紙を差し紙１と共に除去した後に、平判包装機に供するようにする。これにより、このリームＬには欠陥部を有する平判紙は含まれておらず、また差し紙１が挟み込まれていることもなく、印刷機等に供した場合に不良品を発生させることを防止できる。
【００２４】
前記検出装置４には、前記被検出部３に用いられている材料を検知できるものを用いる。被検出部３に金属片や金属粉が用いられる場合には金属探知機を、放射性物質が用いられる場合は放射能検出器を、ICチップが用いられる場合には該ICチップから発せられる信号を受信できる受信機を、それぞれ用いればよい。また、被検出部３を備えて、リームを平判包装機に供する前に該被検出部３を走査して検知することによって、差し紙１を混入させて出荷することが防止されるが、ICチップが用いられる場合には該ICチップに所望の情報を記録できるので、例えば、このICチップが貼着された差し紙１が挿入された工程等が把握でき、万一、当該工程の機器装置の動作不良等が原因している場合には、迅速に対応することができる。
【００２５】
以上説明した実施形態では主として差し紙１について説明したが、包装枚数を区切るマーカーテープ２が平判紙に挟まれた状態で出荷された場合にも不都合であるから、該マーカーテープ２にも被検出部３を設けることが好ましい。該マーカーテープ２は包装枚数毎に配されるから、差し紙１よりも多くの枚数を要し、またマーカーテープ２が差し込まれるのは包装枚数を計数する工程であるから、差し紙１のようにいずれの工程で挿入されたものであるかを認識する必要はない。したがって、ICチップのように、識別機能を備えたものは不要で、金属粉や放射線物質等を塗布することが好ましい。なお、マーカーテープ２が平判紙に差し込まれたままとなってしまうのは、例えば、同一位置に複数枚のマーカーテープ２が誤って挿入され、平判包装機に供給する際に１枚のみを除去することによって、他のマーカーテープ２が残存してしまう場合等に生じるおそれがある。
【産業上の利用可能性】
【００２６】
この発明に係る指標用紙片によれば、平判紙に埋もれたしまった差し紙やマーカーテープ等を確実に検知することができるから、出荷する製品に欠陥部を有する平判紙が含まれてしまうことや誤って指標用紙片が混入してしまうことが防止され、製品の歩留まりの向上に寄与する。
【符号の説明】
【００２７】
１  差し紙（指標用紙片）
1a  識別番号
２  マーカーテープ（指標用紙片）
３  被検出部
４  検出装置
10  積層体
Ｌ  リーム
【図１】
2011170722.tif 000003
【図２】
2011170722.tif 000004